(57)【要約】【課題】ケーブルコネクタを保護するとともにケーブルコネクタの劣化を抑制可能とする太陽光発電システムを得ること。【解決手段】太陽光発電システムは、太陽電池パネル１と、太陽電池パネル１に接続された第１端と、ケーブル同士の接続のためのケーブルコネクタ６が取り付けられた第２端とを有するケーブルと、太陽電池パネル１の外縁１ｃに平行な長尺形状をなし、外縁１ｃの下方または側方にて立てられた側面部１１と側面部１１から折り曲げられた部分である底面部１２とを有する構造体であるフレーム材２ａと、ケーブルコネクタ６を収納可能に構造体に取り付けられ、ケーブルコネクタ６を保護する保護部材９と、を備える。保護部材９は、底面部１２より上方にてケーブルコネクタ６を保持する。【選択図】図４
2019075943.tif 000002
【特許請求の範囲】
【請求項１】
太陽電池パネルと、
前記太陽電池パネルに接続された第１端と、ケーブル同士の接続のためのケーブルコネクタが取り付けられた第２端とを有するケーブルと、
前記太陽電池パネルの外縁に平行な長尺形状をなし、前記外縁の下方または側方にて立てられた側面部と前記側面部から折り曲げられた部分である底面部とを有する構造体と、
前記ケーブルコネクタを収納可能に前記構造体に取り付けられ、前記ケーブルコネクタを保護する保護部材と、
を備え、
前記保護部材は、前記底面部より上方にて前記ケーブルコネクタを保持することを特徴とする太陽光発電システム。
【請求項２】
前記構造体は、前記太陽電池パネルの前記外縁を保持する保持フレームであることを特徴とする請求項１に記載の太陽光発電システム。
【請求項３】
前記太陽電池パネルの前記外縁を保持する保持フレームを備え、
前記構造体は、前記保持フレームが取り付けられて前記太陽電池パネルを設置面に固定する固定部材であることを特徴とする請求項１に記載の太陽光発電システム。
【請求項４】
前記保護部材は、前記底面部に当接させて配置され前記ケーブルコネクタが載せられる載置部を有し、
前記載置部の厚みをＴ、前記側面部から前記底面部の端部までの長さをＬ、前記太陽光発電システムが設置面に設置された状態での水平面に対する前記底面部の傾斜角度をθ１として、Ｔｃｏｓθ１＞Ｌｓｉｎθ１を満足することを特徴とする請求項１から３のいずれか１つに記載の太陽光発電システム。
【請求項５】
前記保護部材は、
前記底面部から間隔を空けて配置され前記ケーブルコネクタが載せられる載置部と、
前記ケーブルコネクタが収納される空間を前記載置部とともに囲む側壁部と、
を有することを特徴とする請求項１から３のいずれか１つに記載の太陽光発電システム。
【請求項６】
前記側壁部に開口が設けられていることを特徴とする請求項５に記載の太陽光発電システム。
【請求項７】
前記載置部は、前記側面部側から前記側壁部側へ向かって下り勾配となるように、前記底面部に対して傾けられていることを特徴とする請求項６に記載の太陽光発電システム。
【請求項８】
前記底面部に対する前記載置部の傾斜角度が、水平面に対する前記底面部の傾斜角度より大きいことを特徴とする請求項７に記載の太陽光発電システム。
【請求項９】
前記載置部に開口が設けられていることを特徴とする請求項５に記載の太陽光発電システム。
【請求項１０】
前記開口は、前記載置部のうち前記側壁部との間の角部に設けられていることを特徴とする請求項９に記載の太陽光発電システム。
【請求項１１】
前記保護部材は、前記ケーブルコネクタが収納される空間を囲むコネクタ収納部を有し、
前記コネクタ収納部は、前記載置部と前記側壁部とを含めて構成されることを特徴とする請求項５から１０のいずれか１つに記載の太陽光発電システム。
【請求項１２】
太陽電池パネルと、
前記太陽電池パネルに接続された第１端と、ケーブル同士の接続のためのケーブルコネクタが取り付けられた第２端とを有するケーブルと、
前記太陽電池パネルの外縁に平行な長尺形状をなし、前記外縁の側方にて立てられた側面部と前記側面部から折り曲げられた部分である底面部とを含み、前記太陽電池パネルの前記外縁を保持する保持フレームと、
前記ケーブルコネクタを収納可能に前記保持フレームに取り付けられ、前記ケーブルコネクタを保護する保護部材と、
を備え、
前記保護部材は、前記底面部より上方にて前記ケーブルコネクタを保持することを特徴とする太陽電池モジュール。
【発明の詳細な説明】
【技術分野】
【０００１】
本発明は、ケーブルコネクタによりケーブル同士が接続可能とされた太陽光発電システムおよび太陽電池モジュールに関する。
【背景技術】
【０００２】
複数の太陽電池モジュールを備える太陽光発電システムでは、一般に、互いに隣り合う太陽電池モジュールのケーブル同士がケーブルコネクタを介して接続される。太陽電池モジュールが設置面に設置された状態において、ケーブルコネクタは、太陽電池パネルの外縁に取り付けられたフレーム、あるいはフレームが固定される固定部材に収納されることがある。フレームあるいは固定部材にケーブルコネクタが収納されることで、風によるケーブルコネクタの揺れを防ぐことができ、かつ直射日光からケーブルコネクタを保護することができる。
【０００３】
特許文献１には、太陽電池モジュールの取付架台に、ケーブルコネクタを収納可能なガイド部分を設ける技術が開示されている。
【先行技術文献】
【特許文献】
【０００４】
【特許文献１】特開２０００−１１４５７７号公報
【発明の概要】
【発明が解決しようとする課題】
【０００５】
上記特許文献１に開示された取付架台では、ガイド部分に雨水が溜まることがある。そのため、特許文献１の技術では、ケーブルコネクタが収納されたガイド部分に雨水が溜まり、ケーブルコネクタが雨水に長期間浸漬されることで、ケーブルコネクタの劣化が早まることがあるという問題があった。
【０００６】
本発明は、上記に鑑みてなされたものであって、ケーブルコネクタを保護するとともにケーブルコネクタの劣化を抑制可能とする太陽光発電システムを得ることを目的とする。
【課題を解決するための手段】
【０００７】
上述した課題を解決し、目的を達成するために、本発明にかかる太陽光発電システムは、太陽電池パネルと、太陽電池パネルに接続された第１端と、ケーブル同士の接続のためのケーブルコネクタが取り付けられた第２端とを有するケーブルと、を備える。本発明にかかる太陽光発電システムは、太陽電池パネルの外縁に平行な長尺形状をなし、外縁の下方または側方にて立てられた側面部と側面部から折り曲げられた部分である底面部とを有する構造体と、ケーブルコネクタを収納可能に構造体に取り付けられ、ケーブルコネクタを保護する保護部材と、を備える。保護部材は、底面部より上方にてケーブルコネクタを保持する。
【発明の効果】
【０００８】
本発明によれば、ケーブルコネクタを保護するとともにケーブルコネクタの劣化を抑制できるという効果を奏する。
【図面の簡単な説明】
【０００９】
【図１】本発明の実施の形態１にかかる太陽光発電システムが備える太陽電池モジュールの平面図
【図２】図１に示す太陽電池モジュールの斜視図
【図３】図２に示す太陽電池モジュールと、太陽電池モジュールに取り付けられた保護部材とを示す平面図
【図４】図３に示すＩＶ−ＩＶ線における太陽電池モジュールの断面図
【図５】図４に示す保護部材とケーブルコネクタとを示す斜視図
【図６】図３に示すＶＩ−ＶＩ線における太陽電池モジュールの断面図
【図７】本発明の実施の形態２にかかる太陽光発電システムの斜視図
【図８】図７に示すＶＩＩＩ−ＶＩＩＩ線における太陽光発電システムの断面図
【図９】本発明の実施の形態３にかかる太陽電池モジュールの要部断面図
【図１０】本発明の実施の形態４にかかる太陽電池モジュールの要部断面図
【図１１】本発明の実施の形態５にかかる太陽電池モジュールの要部断面図
【図１２】本発明の実施の形態６にかかる太陽電池モジュールの要部断面図
【図１３】図１２に示す保護部材の平面図
【図１４】本発明の実施の形態７にかかる太陽電池モジュールの要部断面図
【図１５】本発明の実施の形態８にかかる太陽電池モジュールの要部断面図
【図１６】本発明の実施の形態９にかかる太陽電池モジュールの要部断面図
【発明を実施するための形態】
【００１０】
以下に、本発明の実施の形態にかかる太陽光発電システムおよび太陽電池モジュールを図面に基づいて詳細に説明する。なお、この実施の形態によりこの発明が限定されるものではない。
【００１１】
実施の形態１．
図１は、本発明の実施の形態１にかかる太陽光発電システムが備える太陽電池モジュール１００の平面図である。太陽光発電システムは、太陽電池モジュール１００と、太陽電池モジュール１００を設置面に固定する固定部材とを含む。図１では、固定部材の図示を省略している。太陽光発電システムは、屋根あるいは地面などの設置面に設置される。
【００１２】
太陽電池モジュール１００は、太陽電池パネル１と、太陽電池パネル１の外縁を保持する保持フレーム２とを備える。図１には、太陽電池パネル１の受光面１ａ側における太陽電池モジュール１００の平面構成を示している。図１に示す平面構成において、太陽電池パネル１の外形は長方形をなしている。
【００１３】
太陽電池パネル１は、アレイ状に配列された複数の太陽電池セル３を備える。太陽電池セル３は、太陽光を電力へ変換する光電変換部である。複数の太陽電池セル３は、直列または並列に接続されている。太陽電池セル３は、受光面１ａ側に、透明基板であるガラスが配置されている。太陽電池パネル１は、エチレンビニルアセテート（Ethylene−Vinyl  Acetate，ＥＶＡ）樹脂またはポリエチレンテレフタレート（PolyEthylene  Terephthalate，ＰＥＴ）樹脂などの電気的絶縁材料により複数の太陽電池セル３を封止して形成される。図１では、太陽電池パネル１のガラスと電気的絶縁材料との図示を省略している。
【００１４】
保持フレーム２は、太陽電池パネル１の外縁全体を取り囲む。保持フレーム２は、太陽電池パネル１のうち長方形の長辺に沿って設けられた２つのフレーム材２ａと、太陽電池パネル１のうち長方形の短辺に沿って設けられた２つのフレーム材２ｂとを組み合わせて構成されている。フレーム材２ａは、太陽電池パネル１のうち長辺である外縁に平行な長尺形状をなす部材である。フレーム材２ｂは、太陽電池パネル１のうち短辺である外縁に平行な長尺形状をなす部材である。
【００１５】
図２は、図１に示す太陽電池モジュール１００の斜視図である。図２には、太陽電池パネル１のうち受光面１ａとは裏側の裏面１ｂ側における太陽電池モジュール１００の構成を示している。図２では、太陽電池セル３の図示を省略している。
【００１６】
太陽電池モジュール１００は、太陽電池パネル１で発生させた電力を取り出すためのケーブルである２本の出力ケーブル４を備える。太陽電池パネル１の裏面１ｂには、太陽電池パネル１に内蔵されている内部リード線と出力ケーブル４とを接続するための端子ボックス５が設けられている。端子ボックス５には、出力ケーブル４である負極側出力ケーブル４ａと正極側出力ケーブル４ｂとが接続されている。図２では、内部リード線の図示を省略している。
【００１７】
出力ケーブル４の一方の端である第１端７は、太陽電池モジュール１００の端子ボックス５へ挿入されて、太陽電池パネル１の内部リード線に接続される。出力ケーブル４の他方の端である第２端８には、ケーブル同士の接続のためのケーブルコネクタ６が取り付けられている。負極側出力ケーブル４ａのケーブルコネクタ６は、他の太陽電池モジュール１００の正極側出力ケーブル４ｂのケーブルコネクタ６に繋げられる。正極側出力ケーブル４ｂのケーブルコネクタ６は、他の太陽電池モジュール１００の負極側出力ケーブル４ａのケーブルコネクタ６に繋げられる。図２では、他の太陽電池モジュール１００と、当該他の太陽電池モジュール１００のケーブルコネクタ６との図示を省略している。
【００１８】
図３は、図２に示す太陽電池モジュール１００と、太陽電池モジュール１００に取り付けられた保護部材９とを示す平面図である。図３には、裏面１ｂ側における太陽電池モジュール１００の平面構成を示している。
【００１９】
太陽電池モジュール１００において、保護部材９は、２つのフレーム材２ａのうちの一方に取り付けられる。保護部材９は、フレーム材２ａとの間にケーブルコネクタ６を収納可能にフレーム材２ａに取り付けられて、ケーブルコネクタ６を保護する。図３に示す負極側出力ケーブル４ａに取り付けられているケーブルコネクタ６には、他の太陽電池モジュール１００の正極側出力ケーブル４ｂに取り付けられているケーブルコネクタ６が繋げられている。互いに繋げられている当該２つのケーブルコネクタ６は、保護部材９とフレーム材２ａとの間に収納されている。
【００２０】
図４は、図３に示すＩＶ−ＩＶ線における太陽電池モジュール１００の断面図である。図４には、太陽電池モジュール１００のうち、保護部材９と、保護部材９が取り付けられているフレーム材２ａとを含む部分の断面構成を示している。図４に示す断面は、フレーム材２ａの長手方向に垂直な断面である。図４に示す矢印Ａの方向を、鉛直方向のうちの上方向とする。また、矢印Ｂの方向を、鉛直方向のうちの下方向とする。
【００２１】
太陽電池モジュール１００は、鉛直方向に垂直な水平面に対して受光面１ａが傾けられて設置される。図４には、太陽電池パネル１の外形における長辺に設けられた２つのフレーム材２ａのうち、傾斜の下方側にある１つのフレーム材２ａを示している。
【００２２】
フレーム材２ａは、太陽電池パネル１の外縁１ｃの下方から外縁１ｃの側方へかけて立てられた側面部１１と、側面部１１から折り曲げられている部分である底面部１２とを有する。底面部１２は、太陽電池モジュール１００のうち受光面１ａと裏面１ｂとに平行な底面１２ａを含む。側面部１１は、太陽電池モジュール１００のうち、底面１２ａと受光面１ａとに垂直な側面１１ａを含む。太陽電池モジュール１００が傾けられて設置されていることで、フレーム材２ａの側面部１１と底面部１２との間の角部１８が、太陽電池モジュール１００の傾斜最下部となる。
【００２３】
また、フレーム材２ａは、側面部１１の上部に位置し太陽電池パネル１を保持する保持部１３を備える。保持部１３は、側面部１１から受光面１ａに対向するように突出された第１の張り出し部１３ａと、裏面１ｂに対向するように側面部１１から突出された第２の張り出し部１３ｂとを備える。第１の張り出し部１３ａと第２の張り出し部１３ｂとが太陽電池パネル１を挟持することで、保持部１３は、太陽電池パネル１を保持する。図４に示すフレーム材２ａ以外のフレーム材２ａ，２ｂは、図４に示すフレーム材２ａと同様の構成を備える。
【００２４】
図５は、図４に示す保護部材９とケーブルコネクタ６とを示す斜視図である。保護部材９は、ケーブルコネクタ６が載せられる載置部１４と、載置部１４から上方へ立てられて側面部１１に対向する側壁部１５とを備える。図４に示す断面において、保護部材９はＬ字形状をなす。保護部材９の長手方向は、フレーム材２ａの長手方向と同じ方向である。
【００２５】
保護部材９には、アルミニウム材が使用される。保護部材９の材料にアルミニウムが使用されることで、耐環境性と耐火性とを備えた保護部材９を得ることができる。なお、保護部材９の材料は、耐環境性と耐火性とを備えた材料であれば良く、アルミニウム以外の金属材料であっても良い。
【００２６】
太陽電池モジュール１００の強度を高めるために、フレーム材２ａ，２ｂの材料には、耐環境性と耐火性とを備えた材料である金属材料が用いられる。太陽電池モジュール１００において、耐環境性と耐火性とを備えた金属材料からなるフレーム材２ａと保護部材９とに囲われた空間９ａにケーブルコネクタ６を配置できる。
【００２７】
載置部１４は、フレーム材２ａの底面部１２に当接させて配置される。保護部材９は、底面部１２に載置部１４を当接させ、かつ第２の張り出し部１３ｂに側壁部１５の上端１５ａを当接させて、フレーム材２ａに嵌め込まれる。フレーム材２ａに保護部材９が嵌め込まれることで、フレーム材２ａの側面部１１および第２の張り出し部１３ｂと、保護部材９の載置部１４および側壁部１５とにより囲まれる空間９ａが形成される。空間９ａは、ケーブルコネクタ６の長手方向における端部１６ａ，１６ｂにおいて開放されており、端部１６ａ，１６ｂから出力ケーブル４が引き出し可能とされている。端部１６ａ，１６ｂ間における保護部材９の長さＬ１は、互いに繋げられた２つのケーブルコネクタ６の長さＬ２よりも長く、Ｌ１＞Ｌ２の関係が成り立つ。これにより、フレーム材２ａと保護部材９とにより囲われる空間９ａにケーブルコネクタ６が収納される。
【００２８】
太陽電池モジュール１００は、フレーム材２ａへ保護部材９が取り付けられて形成される空間９ａにケーブルコネクタ６を収納することで、風によるケーブルコネクタ６の揺れを防ぐことができる。また、太陽電池モジュール１００は、直射日光、降雨および降雪からケーブルコネクタ６を保護することができる。
【００２９】
載置部１４は、フレーム材２ａの底面部１２より上方にてケーブルコネクタ６を保持可能な厚みＴを持つ。厚みＴは、載置部１４のうち底面部１２と接する下面とケーブルコネクタ６と接する上面との間の厚みである。
【００３０】
なお、図４に示す保護部材９の載置部１４は、フレーム材２ａの側面部１１から底面部１２の端部１７の範囲内に納められている。保護部材９は、フレーム材２ａの側面部１１から端部１７までの範囲より外にはみ出るように配置されるものであっても良い。図３には、フレーム材２ａからはみ出して配置されている保護部材９を示している。
【００３１】
図６は、図３に示すＶＩ−ＶＩ線における太陽電池モジュール１００の断面図である。図６には、太陽電池モジュール１００のうち、保護部材９が取り付けられている位置以外におけるフレーム材２ａを含む部分の断面構成を示している。図６には、図４と同じフレーム材２ａを示している。太陽電池モジュール１００が傾けられて設置されていることで、フレーム材２ａのうち角部１８の上に雨水１９が滞留することがある。
【００３２】
図４に示すように、実施の形態１の太陽電池モジュール１００は、載置部１４の上にケーブルコネクタ６が載せられることで、フレーム材２ａの底面部１２より上方にてケーブルコネクタ６を保持可能とする。底面部１２より上方にケーブルコネクタ６を保持することで、滞留する雨水１９へのケーブルコネクタ６の浸漬が防がれる。太陽電池モジュール１００は、ケーブルコネクタ６が雨水１９に長期間浸漬されることによるケーブルコネクタ６の劣化を抑制できる。
【００３３】
実施の形態１によると、太陽電池モジュール１００は、保持フレーム２に保護部材９が取り付けられることで、保持フレーム２と保護部材９との間にてケーブルコネクタ６を保護する。太陽電池モジュール１００は、保護部材９により、底面部１２より上方にてケーブルコネクタ６を保持可能とすることで、雨水１９への浸漬によるケーブルコネクタ６の劣化を抑制できる。これにより、太陽電池モジュール１００および太陽光発電システムは、ケーブルコネクタ６を保護するとともにケーブルコネクタ６の劣化を抑制できるという効果を奏する。
【００３４】
実施の形態２．
図７は、本発明の実施の形態２にかかる太陽光発電システム２００の斜視図である。太陽光発電システム２００は、太陽電池モジュール１０１と、太陽電池モジュール１０１を設置面に固定する固定部材２１とを含む。実施の形態２では、保護部材９は、固定部材２１に設けられている。実施の形態２では、上記の実施の形態１と同様の構成要素には同じ符号を付し、実施の形態１と重複する説明を省略する。
【００３５】
太陽電池モジュール１０１の構成は、実施の形態１の太陽電池モジュール１００から保護部材９を除いた構成と同じである。図７では、太陽電池パネル１の受光面１ａ側における太陽光発電システム２００の構成を示している。なお、図７では、図１に示す太陽電池セル３の図示を省略している。図７では、図２に示す端子ボックス５と、端子ボックス５に接続されている負極側出力ケーブル４ａと、負極側出力ケーブル４ａに取り付けられているケーブルコネクタ６とを、破線により示している。
【００３６】
太陽光発電システム２００は、２本の固定部材２１を備える。固定部材２１は、太陽電池パネル１の外形である長方形の長辺に沿って設けられている。固定部材２１は、太陽電池パネル１のうち長辺である外縁に平行な長尺形状をなす構造体である。固定金具２２は、固定部材２１にフレーム材２ａを固定する。固定部材２１は、ネジ止めにより設置面に固定される。例を挙げると、固定部材２１の底面に形成された孔を通された木ネジを屋根にねじ込むことで、固定部材２１は、屋根上にて固定される。これにより、固定部材２１は、保持フレーム２が取り付けられて、太陽電池モジュール１０１を設置面に固定する。なお、図７では、太陽光発電システム２００のうち設置面への固定のための構成の図示を省略している。
【００３７】
太陽光発電システム２００において、保護部材９は、２つの固定部材２１のうちの一方に取り付けられる。保護部材９は、固定部材２１との間にケーブルコネクタ６を収納可能に固定部材２１に取り付けられて、ケーブルコネクタ６を保護する。なお、図７には、固定部材２１への取り付け前における保護部材９を示している。
【００３８】
図８は、図７に示すＶＩＩＩ−ＶＩＩＩ線における太陽光発電システム２００の断面図である。図８には、太陽光発電システム２００のうち、保護部材９と、保護部材９が取り付けられている固定部材２１とを含む部分の断面構成を示している。なお、図８には、固定部材２１への取り付け後における保護部材９を示している。図８に示す断面は、固定部材２１の長手方向に垂直な断面である。図８に示す矢印Ａの方向を、鉛直方向における上方向とする。また、矢印Ｂの方向を、鉛直方向における下方向とする。
【００３９】
太陽光発電システム２００は、鉛直方向に垂直な水平面に対して受光面１ａが傾けられて設置される。図８には、太陽電池パネル１の外形における長辺に平行に設けられた２つの固定部材２１のうち、傾斜の下方側にある固定部材２１を示している。
【００４０】
固定部材２１は、太陽電池パネル１の外縁１ｃの下方にて立てられた側面部２３と、側面部２３から折り曲げられている部分である底面部２４とを備える。底面部２４は、太陽光発電システム２００のうち受光面１ａと裏面１ｂとに平行な底面２４ａを含む。側面部２３は、太陽光発電システム２００のうち底面２４ａと受光面１ａとに垂直な側面２３ａを含む。太陽光発電システム２００が傾けられて設置されていることで、固定部材２１の側面部２３と底面部２４との間の角部２７が、太陽光発電システム２００の傾斜最下部となる。また、固定部材２１は、側面部２３の上側に位置し保持フレーム２が固定される保持部２５を備える。保持部２５は、側面部２３から折り曲げられて、底面部２４と平行とされている部分である。
【００４１】
保護部材９は、固定部材２１の底面部２４上に載置部１４が配置され、かつ保持部２５に側壁部１５の上端１５ａを当接させて、固定部材２１に嵌め込まれる。固定部材２１に保護部材９が嵌め込まれることで、固定部材２１の側面部２３および保持部２５と、保護部材９の載置部１４および側壁部１５とにより囲まれる空間９ａが形成される。ケーブルコネクタ６は、固定部材２１と保護部材９とにより囲われる空間９ａに収納される。
【００４２】
太陽光発電システム２００は、固定部材２１へ保護部材９が取り付けられて形成される空間９ａにケーブルコネクタ６を収納することで、風によるケーブルコネクタ６の揺れを防ぐことができる。また、太陽光発電システム２００は、直射日光、降雨および降雪からケーブルコネクタ６を保護することができる。
【００４３】
載置部１４は、固定部材２１の底面部１２より上方にてケーブルコネクタ６を保持可能な厚みＴを持つ。厚みＴは、載置部１４のうち底面部２４と接する下面とケーブルコネクタ６と接する上面との間の厚みである。
【００４４】
太陽光発電システム２００が傾けられて設置されていることで、固定部材２１のうち角部１８の上に雨水１９が滞留することがある。実施の形態２の太陽光発電システム２００は、載置部１４の上にケーブルコネクタ６が載せられることで、固定部材２１の底面部２４より上方にてケーブルコネクタ６を保持可能とする。底面部２４より上方にケーブルコネクタ６を保持することで、滞留する雨水１９へのケーブルコネクタ６の浸漬が防がれる。太陽光発電システム２００は、ケーブルコネクタ６が雨水１９に長期間浸漬されることによるケーブルコネクタ６の劣化を抑制できる。
【００４５】
なお、図８に示す保護部材９の載置部１４は、固定部材２１の側面部２３から底面部２４の端部２６の範囲内に納められている。保護部材９は、固定部材２１の側面部２３から端部２６までの範囲より外にはみ出るように配置されても良い。
【００４６】
実施の形態２によると、太陽光発電システム２００は、固定部材２１に保護部材９が取り付けられることで、固定部材２１と保護部材９との間にてケーブルコネクタ６を保護する。太陽光発電システム２００は、保護部材９により、底面部２４より上方にてケーブルコネクタ６を保持可能とすることで、雨水１９への浸漬によるケーブルコネクタ６の劣化を抑制できる。これにより、太陽光発電システム２００は、ケーブルコネクタ６を保護するとともにケーブルコネクタ６の劣化を抑制できるという効果を奏する。
【００４７】
実施の形態３．
図９は、本発明の実施の形態３にかかる太陽電池モジュール１００の要部断面図である。実施の形態３にかかる太陽電池モジュール１００は、実施の形態１にかかる太陽電池モジュール１００と同様の構成を備える。実施の形態３では、フレーム材２ａと保護部材９との寸法の例について説明する。実施の形態３では、上記の実施の形態１および２と同様の構成要素には同じ符号を付し、実施の形態１および２と重複する説明を省略する。図９には、太陽電池モジュール１００のうち、保護部材９と、保護部材９が取り付けられているフレーム材２ａとを含む部分の断面構成を示している。図９に示す断面は、フレーム材２ａの長手方向に垂直な断面である。
【００４８】
図９において、長さＬは、面３１から底面部１２の端部１７までの長さである。面３１は、側面部１１のうち空間９ａおよび載置部１４側の面である。厚みＴは、載置部１４の厚みである。太陽電池モジュール１００の設置角度をθ１とすると、長さＬと厚みＴとは、次の式（１）を満足するように設定されている。なお、太陽電池モジュール１００の設置角度θ１は、太陽光発電システムが設置面に設置された状態での水平面Ｈに対する底面１２ａの傾斜角度とする。
Ｔｃｏｓθ１＞Ｌｓｉｎθ１    ・・・（１）
【００４９】
太陽電池モジュール１００が傾けられて設置されていることで、側面部１１の面３１と底面部１２との間の角部３２が、フレーム材２ａのうち雨水１９が滞留し得る部分の最下部となる。式（１）のＬｓｉｎθ１は、設置角度θ１で設置された太陽電池モジュール１００における角部３２から底面部１２の上端３３までの鉛直方向における高さである。かかるＬｓｉｎθ１は、フレーム材２ａに滞留し得る雨水１９の、角部３２からの最高水位を表す。また、側面部１１の面３１と載置部１４のうち空間９ａ側の面３４との間の角部３５が、空間９ａの最下部となる。式（１）のＴｃｏｓθ１は、角部３２から角部３５までの鉛直方向における高さを表す。
【００５０】
上記の式（１）を満足することで、角部３５は、雨水１９の最高水位よりも高い位置とされる。角部３５が最高水位より高い位置であることで、雨水１９が最高水位に到達した場合であっても、空間９ａへの雨水１９の入り込みが防がれる。これにより、太陽電池モジュール１００は、雨水１９へのケーブルコネクタ６の浸漬を確実に防ぐことができるという効果を奏する。
【００５１】
実施の形態３によるフレーム材２ａと保護部材９との寸法の設定は、実施の形態２の固定部材２１と保護部材９とに適用されても良い。太陽光発電システム２００は、図８に示す側面部２３のうち空間９ａおよび載置部１４側の面と端部２６との間の長さをＬとして、上記の式（１）を満足するように長さＬと厚みＴとを設定できる。これにより、太陽光発電システム２００は、雨水１９へのケーブルコネクタ６の浸漬を確実に防ぐことができるという効果を奏する。
【００５２】
実施の形態４．
図１０は、本発明の実施の形態４にかかる太陽電池モジュール１００の要部断面図である。実施の形態４にかかる太陽電池モジュール１００は、保護部材４０の取り付けにより、フレーム材２ａの底面部１２と保護部材４０の載置部４２との間に水路となる空間４０ｂが設けられている。上記の実施の形態１から３と同様の構成要素には同じ符号を付し、実施の形態１から３と重複する説明を省略する。図１０には、太陽電池モジュール１００のうち、保護部材４０と、保護部材４０が取り付けられているフレーム材２ａとを含む部分の断面構成を示している。図１０に示す断面は、フレーム材２ａの長手方向に垂直な断面である。
【００５３】
保護部材４０は、ケーブルコネクタ６が収納される空間４０ａを囲むコネクタ収納部４１を有する。コネクタ収納部４１は、載置部４２と、天面部４３と、２つの側壁部４４，４５とにより構成される。コネクタ収納部４１は、筒形をなしている。載置部４２は、底面部１２から間隔を空けて配置される。側壁部４４は、フレーム材２ａの側面部１１に接する。側壁部４５は、空間４０ａを介して側壁部４４に対向する。側壁部４５は、載置部４２より下方へ延伸されている。保護部材４０は、底面部１２に側壁部４５の下端４６を当接させ、かつ第２の張り出し部１３ｂに天面部４３を当接させて、フレーム材２ａに嵌め込まれる。実施の形態４にかかる太陽電池モジュール１００は、耐環境性と耐火性とを備えた金属材料からなる保護部材４０内にケーブルコネクタ６を配置できる。
【００５４】
フレーム材２ａに保護部材４０が嵌め込まれることで、フレーム材２ａの底面部１２および側面部１１と、保護部材４０の載置部４２および側壁部４５とにより囲まれる空間４０ｂが形成される。空間４０ｂは、フレーム材２ａに滞留する雨水１９が通る水路となる。水路となる空間４０ｂが設けられていることで、保護部材４０での雨水１９の堰き止めを解消可能とする。これにより、太陽電池モジュール１００は、保持フレーム２での雨水１９の流動が妨げられないことで、雨水１９の滞留を低減できるという効果を奏する。
【００５５】
実施の形態４の保護部材４０の寸法には、実施の形態３の保護部材９の寸法の設定が適用されても良い。太陽電池モジュール１００は、実施の形態３における厚みＴを、底面部１２からの載置部４２の高さに置き換えて、実施の形態３と同様に保護部材４０の寸法を設定できる。これにより、太陽電池モジュール１００は、雨水１９へのケーブルコネクタ６の浸漬を確実に防ぐことができる。
【００５６】
実施の形態４の保護部材４０は、実施の形態２にかかる太陽光発電システム２００に適用されても良い。保護部材４０は、図８に示す固定部材２１の底面部２４に下端４６を当接させ、かつ固定部材２１の保持部２５に天面部４３を当接させて、固定部材２１に嵌め込まれる。保護部材４０の載置部４２と固定部材２１の底面部２４との間には、空間４０ｂと同様の空間が形成される。これにより、太陽光発電システム２００は、雨水１９の滞留を低減できるという効果を奏する。
【００５７】
実施の形態５．
図１１は、本発明の実施の形態５にかかる太陽電池モジュール１００の要部断面図である。実施の形態５にかかる太陽電池モジュール１００は、実施の形態４の保護部材４０に代えて、載置部５１と側壁部５２とを有する保護部材５０を備える。上記の実施の形態１から４と同様の構成要素には同じ符号を付し、実施の形態１から４と重複する説明を省略する。図１１には、太陽電池モジュール１００のうち、保護部材５０と、保護部材５０が取り付けられているフレーム材２ａとを含む部分の断面構成を示している。図１１に示す断面は、フレーム材２ａの長手方向に垂直な断面である。
【００５８】
保護部材５０の側壁部５２は、側面部１１に対向する。載置部５１は、側壁部５２のうち下端５３より上方の位置に取り付けられている。載置部５１は、側壁部５２に対し垂直に立てられている。載置部５１は、底面部１２から間隔を空けて配置される。保護部材５０は、フレーム材２ａの底面部１２に側壁部５２の下端５３を当接させ、かつ第２の張り出し部１３ｂに側壁部５２の上端５４を当接させて、フレーム材２ａに嵌め込まれる。フレーム材２ａに保護部材５０が嵌め込まれることで、フレーム材２ａの側面部１１および第２の張り出し部１３ｂと、保護部材５０の載置部５１および側壁部５２とにより囲まれる空間５０ａが形成される。ケーブルコネクタ６は、フレーム材２ａと保護部材５０とにより囲まれる空間５０ａに収納される。
【００５９】
また、フレーム材２ａの底面部１２と保護部材５０の載置部５１との間には、実施の形態４の空間４０ｂと同様に、雨水１９が通る水路となる空間５０ｂが設けられる。これにより、太陽電池モジュール１００は、雨水１９の滞留を低減できるという効果を奏する。
【００６０】
実施の形態５の保護部材５０の寸法には、実施の形態３の保護部材９の寸法の設定が適用されても良い。太陽電池モジュール１００は、実施の形態３における厚みＴを、底面部１２からの載置部５１の高さに置き換えて、実施の形態３と同様に保護部材５０の寸法を設定できる。これにより、太陽電池モジュール１００は、雨水１９へのケーブルコネクタ６の浸漬を確実に防ぐことができる。
【００６１】
実施の形態５の保護部材５０は、実施の形態２にかかる太陽光発電システム２００に適用されても良い。保護部材５０は、図８に示す固定部材２１の底面部２４に側壁部５２の下端５３を当接させ、かつ固定部材２１の保持部２５に側壁部５２の上端５４を当接させて、固定部材２１に嵌め込まれる。保護部材５０の載置部５１と固定部材２１の底面部２４との間には、空間５０ｂと同様の空間が形成される。これにより、太陽光発電システム２００は、雨水１９の滞留を低減できるという効果を奏する。
【００６２】
実施の形態６．
図１２は、本発明の実施の形態６にかかる太陽電池モジュール１００の要部断面図である。実施の形態６の太陽電池モジュール１００に備えられる保護部材５５は、実施の形態５の保護部材５０に排水口５６が追加されたものである。上記の実施の形態１から５と同様の構成要素には同じ符号を付し、実施の形態１から５と重複する説明を省略する。図１２には、太陽電池モジュール１００のうち、保護部材５５と、保護部材５５が取り付けられているフレーム材２ａとを含む部分の断面構成を示している。図１２に示す断面は、フレーム材２ａの長手方向に垂直な断面である。
【００６３】
排水口５６は、空間５０ａからの排水のための開口である。排水口５６は、側壁部５２に設けられている。排水口５６は、載置部５１のうちケーブルコネクタ６が接する面５７上に設けられている。図１３は、図１２に示す保護部材５５の平面図である。図１３では、側壁部５２側における保護部材５５の平面構成を示している。図１３に示す保護部材５５には、３つの排水口５６が設けられている。３つの排水口５６は、フレーム材２ａの長手方向において、等間隔をなして配列されている。なお、フレーム材２ａの長手方向における排水口５６の位置と排水口５６の数とは、任意とする。
【００６４】
空間５０ａに入り込んだ雨水１９は、排水口５６を通って空間５０ａの外へ排出される。太陽電池モジュール１００は、保護部材５５に排水口５６が設けられていることで、雨水１９へのケーブルコネクタ６の浸漬を防ぐことができるという効果を奏する。
【００６５】
なお、実施の形態６の排水口５６は、実施の形態１および実施の形態３の保護部材９、または実施の形態４の保護部材４０に設けられても良い。太陽電池モジュール１００は、保護部材９，４０に排水口５６が設けられていることで、雨水１９へのケーブルコネクタ６の浸漬を防ぐことができる。
【００６６】
実施の形態６の保護部材５５は、実施の形態２にかかる太陽光発電システム２００に適用されても良い。これにより、太陽光発電システム２００は、雨水１９へのケーブルコネクタ６の浸漬を防ぐことができるという効果を奏する。
【００６７】
実施の形態７．
図１４は、本発明の実施の形態７にかかる太陽電池モジュール１００の要部断面図である。実施の形態７の太陽電池モジュール１００に備えられる保護部材６０は、載置部５１に排水口６１が設けられている。上記の実施の形態１から６と同様の構成要素には同じ符号を付し、実施の形態１から６と重複する説明を省略する。図１４には、太陽電池モジュール１００のうち、保護部材６０と、保護部材６０が取り付けられているフレーム材２ａとを含む部分の断面構成を示している。図１４に示す断面は、フレーム材２ａの長手方向に垂直な断面である。
【００６８】
排水口６１は、空間５０ａからの排水のための開口である。排水口６１は、載置部５１のうち、載置部５１と側面部１１との間の角部６２に接して設けられている。載置部５１には、フレーム材２ａの長手方向において等間隔をなして配列された複数の排水口６１が設けられていても良い。なお、フレーム材２ａの長手方向における排水口６１の位置と排水口６１の数とは、任意とする。
【００６９】
太陽電池モジュール１００が傾けられて設置されていることで、角部６２は、空間５０ａの傾斜最下部となる。空間５０ａに入り込んだ雨水１９は、面５７上にて傾斜下方の角部６２へ向けて流動して、排水口６１に到達する。排水口６１に到達した雨水１９は、排水口６１を通って空間５０ｂへ落下する。
【００７０】
太陽電池モジュール１００は、角部６２に排水口６１が設けられていることで、空間５０ａに入り込んだ雨水１９を効率良く空間５０ａの外へ排出できる。これにより、太陽電池モジュール１００は、載置部５１の角部６２に排水口６１が設けられていることで、雨水１９へのケーブルコネクタ６の浸漬を防ぐことができるという効果を奏する。
【００７１】
実施の形態７の保護部材６０は、実施の形態２にかかる太陽光発電システム２００に適用されても良い。これにより、太陽光発電システム２００は、雨水１９へのケーブルコネクタ６の浸漬を防ぐことができるという効果を奏する。
【００７２】
実施の形態８．
図１５は、本発明の実施の形態８にかかる太陽電池モジュール１００の要部断面図である。実施の形態８の太陽電池モジュール１００に備えられる保護部材６５は、実施の形態６の保護部材５５の載置部５１とは傾きを異ならせた載置部６６を備える。上記の実施の形態１から７と同様の構成要素には同じ符号を付し、実施の形態１から７と重複する説明を省略する。図１５には、太陽電池モジュール１００のうち、保護部材６５と、保護部材６５が取り付けられているフレーム材２ａとを含む部分の断面構成を示している。図１５に示す断面は、フレーム材２ａの長手方向に垂直な断面である。
【００７３】
保護部材６５において、載置部６６は、側面部１１側から側壁部５２側へ向かって下り勾配となるように、底面１２ａに対して傾けられている。ここで、太陽電池モジュール１００の設置角度をθ１、底面１２ａに対する載置部６６の傾斜角度をθ２とする。図１５に示す破線は、底面１２ａに平行な面を表す。設置角度θ１は、太陽光発電システムが設置面に設置された状態での水平面Ｈに対する底面１２ａの傾斜角度である。載置部６６の傾斜角度θ２は、設置角度θ１より大きく、θ２＞θ１の関係が成り立つ。傾斜角度θ２が設置角度θ１より大きいことで、太陽電池モジュール１００が傾けられて配置された状態にて、載置部６６は、水平な状態から側壁部５２側が下がるように傾けられている。
【００７４】
空間５０ａに入り込んだ雨水１９は、載置部６６のうち空間５０ａ側の面５７上にて傾斜下方へ流動して排水口５６へ到達する。保護部材６５は、載置部６６を傾斜させたことで、空間５０ａに入り込んだ雨水１９を効率良く空間５０ａの外へ排出できる。これにより、太陽電池モジュール１００は、底面１２ａに対して傾斜させた載置部６６が設けられていることで、雨水１９へのケーブルコネクタ６の浸漬を防ぐことができるという効果を奏する。
【００７５】
実施の形態８の保護部材６５は、実施の形態２にかかる太陽光発電システム２００に適用されても良い。これにより、太陽光発電システム２００は、雨水１９へのケーブルコネクタ６の浸漬を防ぐことができるという効果を奏する。
【００７６】
実施の形態９．
図１６は、本発明の実施の形態９にかかる太陽電池モジュール１００の要部断面図である。実施の形態９にかかる太陽電池モジュール１００に備えられている保護部材７０は、コネクタ収納部７１と排水口７３とを有する。上記の実施の形態１から８と同様の構成要素には同じ符号を付し、実施の形態１から８と重複する説明を省略する。図１６には、太陽電池モジュール１００のうち、保護部材７０と、保護部材７０が取り付けられているフレーム材２ａとを含む部分の断面構成を示している。図１６に示す断面は、フレーム材２ａの長手方向に垂直な断面である。
【００７７】
保護部材７０は、ケーブルコネクタ６が収納される空間７０ａを囲むコネクタ収納部７１を有する。コネクタ収納部７１は、載置部４２と、天面部４３と、２つの側壁部７２，４５とを備える。コネクタ収納部７１は、筒型をなしている。側壁部７２は、フレーム材２ａの側面部１１に接する。側壁部４５は、空間７０ａを介して側壁部７２に対向する。側壁部７２と側壁部４５とは、載置部４２より下方へ延伸されている。なお、保護部材７０は、実施の形態４の保護部材４０と同様に、側壁部７２と側壁部４５とのうち、側壁部４５のみを載置部４２より下方へ延伸させた形状であっても良い。
【００７８】
保護部材７０は、フレーム材２ａの底面部１２に側壁部７２の下端７４と側壁部４５の下端４６とを当接させ、かつ第２の張り出し部１３ｂに天面部４３を当接させて、フレーム材２ａに嵌め込まれる。実施の形態９にかかる太陽電池モジュール１００は、耐環境性と耐火性とを備えた金属材料からなる保護部材７０内にケーブルコネクタ６を配置できる。
【００７９】
フレーム材２ａに保護部材７０が嵌め込まれることで、フレーム材２ａの底面部１２と、保護部材７０の載置部４２および側壁部７２，４５とにより囲まれる空間７０ｂが形成される。空間７０ｂは、雨水１９が通る水路となる。
【００８０】
排水口７３は、空間７０ａからの排水のための開口である。排水口７３は、載置部４２のうち、載置部４２と側壁部７２との間の角部７５に接して設けられている。載置部４２には、フレーム材２ａの長手方向において等間隔をなして配列された複数の排水口７３が設けられていても良い。なお、フレーム材２ａの長手方向における排水口７３の位置と排水口７３の数とは、任意とする。
【００８１】
太陽電池モジュール１００が傾けられて設置されていることで、角部７５は、空間７０ａの傾斜最下部となる。空間７０ａに入り込んだ雨水１９は、載置部４２上にて傾斜下方の角部７５へ向けて流動して、排水口７３に到達する。排水口７３に到達した雨水１９は、排水口７３を通って空間７０ｂへ落下する。保護部材７０は、角部７５に排水口７３が設けられていることで、空間７０ａに入り込んだ雨水１９を効率良くコネクタ収納部７１から排出できる。
【００８２】
保護部材７０は、コネクタ収納部７１を構成する載置部４２に排水口７３が設けられたことで、空間７０ａに入り込んだ雨水１９をコネクタ収納部７１から排出することができる。これにより、太陽電池モジュール１００は、コネクタ収納部７１を有する保護部材７０に排水口７３が設けられていることで、雨水１９へのケーブルコネクタ６の浸漬を防ぐことができるという効果を奏する。
【００８３】
実施の形態９の保護部材７０は、実施の形態２にかかる太陽光発電システム２００に適用されても良い。これにより、太陽光発電システム２００は、雨水１９へのケーブルコネクタ６の浸漬を防ぐことができるという効果を奏する。
【００８４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８５】
１  太陽電池パネル、１ａ  受光面、１ｂ  裏面、１ｃ  外縁、２  保持フレーム、２ａ，２ｂ  フレーム材、３  太陽電池セル、４  出力ケーブル、４ａ  負極側出力ケーブル、４ｂ  正極側出力ケーブル、５  端子ボックス、６  ケーブルコネクタ、７  第１端、８  第２端、９，４０，５０，５５，６０，６５，７０  保護部材、９ａ，４０ａ，４０ｂ，５０ａ，５０ｂ，７０ａ，７０ｂ  空間、１１，２３  側面部、１１ａ，２３ａ  側面、１２，２４  底面部、１２ａ，２４ａ  底面、１３，２５  保持部、１３ａ  第１の張り出し部、１３ｂ  第２の張り出し部、１４，４２，５１，６６  載置部、１５，４４，４５，５２，７２  側壁部、１５ａ，３３，５４  上端、１６ａ，１６ｂ，１７，２６  端部、１８，２７，３２，３５，６２，７５  角部、１９  雨水、２１  固定部材、２２  固定金具、３１，３４，５７  面、４１，７１  コネクタ収納部、４３  天面部、４６，５３，７４  下端、５６，６１，７３  排水口、１００，１０１  太陽電池モジュール、２００  太陽光発電システム。
【図１】
2019075943.tif 000003
【図２】
2019075943.tif 000004
【図３】
2019075943.tif 000005
【図４】
2019075943.tif 000006
【図５】
2019075943.tif 000007
【図６】
2019075943.tif 000008
【図７】
2019075943.tif 000009
【図８】
2019075943.tif 000010
【図９】
2019075943.tif 000011
【図１０】
2019075943.tif 000012
【図１１】
2019075943.tif 000013
【図１２】
2019075943.tif 000014
【図１３】
2019075943.tif 000015
【図１４】
2019075943.tif 000016
【図１５】
2019075943.tif 000017
【図１６】
2019075943.tif 000018